(57)【要約】      （修正有）【課題】電解生成水を収容する貯留タンク内での電解生成水からのガスの経時的な発生を防止して、発生するガスの外部への排気が不要な電解生成水貯留装置を提供する。【解決手段】電解生成水を貯留タンク内に収容して貯留する電解生成水貯留装置である。当該電解生成水貯留装置は、電解生成水を収容する貯留タンク１０ａ、貯留タンク１０ａ内に収容されている電解生成水の液面に浮遊して同液面とその上方の空気等気体との接触を遮断する氷塊１０ｄ、氷塊１０ｄを生成する製氷機、製氷機と貯留タンク１０ａを連結して氷塊１０ｄを製氷機から貯留タンク１０ａ内に供給する連通管路１０ｃを備えている。【選択図】    図２
2004313963.tif 000002
【特許請求の範囲】
【請求項１】
電解生成水を貯留タンク内に収容して貯留する電解生成水貯留装置であり、当該電解生成水貯留装置は、電解生成水を収容する貯留タンクと、同貯留タンク内に収容されている電解生成水の液面に浮遊して同液面と同液面上の気体との接触を遮断する小塊状の多数の接触遮断体と、前記貯留タンクに連通管を介して連結され前記接触遮断体を前記連通管路を通して前記貯留タンク内に供給する接触遮断体供給機構を備えていることを特徴とする電解生成水貯留装置。
【請求項２】
請求項１に記載の電解生成水貯留装置において、前記連通管路は、前記接触遮断体供給機構から前記貯留タンクに向かって下降傾斜して形成されていて、同連通管路の供給出口が貯留タンク内に収容されている電解生成水の液面の上方の部位に開口していることを特徴とする電解生成水貯留装置。
【請求項３】
請求項１または２に記載の電解生成水貯留装置において、前記連通管路は、同連通管路の途中の部位、上流側部位、または下流側部位に、前記接触遮断体の前記貯留タンク内への通過を許容するが同接触遮断体の非通過時には前記連通管路を遮蔽すべく機能する管遮蔽部材を備えていることを特徴とする電解生成水貯留装置。
【請求項４】
請求項１〜３のいずれか一項に記載の電解生成水貯留装置において、前記接触遮断体は小塊状の氷塊であることを特徴とする電解生成水貯留装置。
【請求項５】
請求項２に記載の電解生成水貯留装置において、前記連通管路はその途中に登り勾配の部位を備えていて、当該部位が接触遮断体である氷塊を多数の群として一旦留める滞留部として機能することを特徴とする電解生成水貯留装置。
【請求項６】
請求項４または５に記載の電解生成水貯留装置において、前記接触遮断体である氷塊を供給する供給機構はオーガ式製氷機であって、同オーガ式製氷機における氷塊の供給管を前記連通管路として採用して、同オーガ式製氷機と貯留タンクを連結していることを特徴とする電解生成水貯留装置。
【発明の詳細な説明】
【０００１】
【発明の属する技術分野】
本発明は、電解生成水を貯留タンク内に収容して、その使用時まで貯留するための電解生成水貯留装置に関する。
【０００２】
【従来の技術】
食塩等無機塩の希薄水溶液や水道水を被電解水として電解生成される電解生成水では、近年、その機能が大きく着目されて用途開発が急ピッチで行われ、機能性水として多くの分野で利用されている。
【０００３】
例えば、有隔膜電解槽を使用する電解では、陽極室側電解室では酸性水（電解生成酸性水）が生成され、かつ、陰極室側電解室ではアルカリ性水（電解生成アルカリ性水）が生成される。電解生成酸性水は、高い殺菌能を有することから、殺菌剤または無菌水として利用される。また、電解生成アルカリ性水は、高い洗浄能を有することから洗浄剤として利用され、また、植物の成長促進する機能を有することから、植物の成長促進剤として植物の栽培に利用されている。
【０００４】
電解生成水のこれらの利用態様においては、一時的に大量に使用する場合や、電解水生成装置の設置場所とは離れた場所で使用される場合には、これらの利用態様に対処するために、使用する電解生成水を予め貯留タンクに収容して貯留しておく方法が採られる。電解生成水の貯留では、貯留タンク内に収容されている電解生成水に溶解している各種成分が、経時的にガス状で発生することから、このガス処理対策が問題となる。
【０００５】
電解生成水には、被電解水の電解によって生成される種々の成分（Ｃｌ２またはＨ２）等が溶解しているが、これらの成分は、電解生成水が開放状態にある場合にはガス状（塩素ガスや水素ガス等）となって経時的に発生する。塩素ガスや水素ガス等は、電解水生成装置が設置されている作業空間や、電解生成水を収容する貯留タンクが設置されている作業空間に継続して放出させる場合には、作業空間の衛生上および装置の防錆上の問題を惹起することになる。
【０００６】
従来、電解生成水のこの種方式の貯留方法においては、一般には、電解生成水が収容されている貯留タンクに屋外へ臨む排気管を連結して、貯留タンク内で発生するガスを排気管を通して屋外へ排出する排気手段が採られている。また、一部では、当該排気管の途中、その上流側または下流側の部位に吸着剤を収容した吸着装置を設置して、貯留タンク内で発生するガス中の化学物質を吸着して脱処理し、脱処理した排気を屋外へ排出する排気手段も採られている。
【０００７】
これらの排気手段は、基本的には、貯留タンク内で発生するガスの作業空間への放出を規制することによって、作業空間における衛生上および装置の防錆上の問題を解消するものであり、前者の排気手段では、ガス中の化学物質を大気中で希釈することによって大気の局部的な汚染を防止し、後者の排気手段では、ガスの外気への排出前にガス中の化学物質を吸着除去することによって大気の汚染を防止するものである。
【０００８】
これらの排気手段は、いずれも貯留タンク内で発生するガスを屋外へ排出することを基本とするもであり、また、排気手段が故障した場合には貯留タンク内で発生するガスの作業空間への放出は避けられない。
【０００９】
このような排気手段に替えて、貯留タンク内で発生するガスを屋外へ排出することなく、作業空間への放出を規制する手段（ガス放出規制手段という）が開発されて提案されている（特許文献１を参照）。
【００１０】
当該ガス放出規制手段は、電解生成水である電解生成酸性水を収容する貯留タンクおよび電解生成アルカリ性水を収容する貯留タンクを気液分離タンクに構成して、これら両気液分離タンクを連結管を介して被電解水を調製するためのタンクである被電解水調製タンクにそれぞれ連結して構成されている。
【００１１】
当該ガス放出規制手段においては、各気液分離タンク内で発生するガスを、各連結管を通し被電解水調製タンクで回収することによって、当該ガスの作業空間への放出および屋外への排出を規制するものである。換言すれば、当該ガス放出規制手段は、貯留タンク内で発生するガスを密閉系で被電解水に吸収処理するものである。
【００１２】
【特許文献１】
特開平９−３０８８８５号公報
【００１３】
【発明が解決しようとする課題】
しかしながら、上記した特許文献１に開示されているガス放出規制手段においては、慣用されている上記した両排気手段に比較して装置的に大型化し、当該ガス放出規制手段を装備する電解水生成装置を設置するには、大きな設置空間を確保しなければならないという問題があり、また、上記した両排気手段と同様に、ガス放出規制手段が故障した場合には、貯留タンク内で発生するガスの作業空間への放出は避けられない。
【００１４】
本発明者は、上記した排気手段およびガス放出規制手段とは異なり、貯留タンク内に収容されている電解生成水からのガスの経時的な発生を大きく抑制し得るようにした、電解生成水の貯留方法および貯留装置を未公開の先願にて提案している。当該貯留方法および貯留装置では、貯留タンク内に収容されている電解生成水からのガスの経時的な発生を大きく抑制する手段として、同貯留タンク内に収容されている電解生成水の液面に浮遊して同液面と同液面上の気体との接触を遮断する小塊状の多数の接触遮断体を採用している。
【００１５】
本発明の目的は、電解生成水を収容する貯留タンク内に、多数の接触遮断体を円滑に供給することができる電解生成水貯留装置を提供することにある。
【００１６】
【課題を解決するための手段】
本発明は、電解生成水貯留装置に関する。本発明に係る電解生成水貯留装置は、電解生成水を貯留タンク内に収容して貯留する電解生成水貯留装置であって、電解生成水を収容する貯留タンクと、同貯留タンク内に収容されている電解生成水の液面に浮遊して同液面と同液面上の気体との接触を遮断する小塊状の多数の接触遮断体と、前記貯留タンクに連通管路を介して連結され前記接触遮断体を前記連通管路を通して前記貯留タンク内に供給する接触遮断体供給機構を備えていることを特徴とするものである。
【００１７】
本発明に係る電解生成水貯留装置においては、前記連通管路を、前記接触遮断体供給機構から前記貯留タンクに向かって下降傾斜するように形成して、同連通管路の供給出口が貯留タンク内に収容されている電解生成水の液面の上方の部位に開口する構成とすることができる。
【００１８】
また、本発明に係る電解生成水貯留装置においては、前記連通管路の途中の部位、上流側部位、または下流側部位に、前記接触遮断体の前記貯留タンク内への通過を許容するが同接触遮断体の非通過時には前記連通管路を遮蔽すべく機能する管遮蔽部材を備える構成とすることができる。
【００１９】
また、本発明に係る電解生成水貯留装置においては、前記接触遮断体として、小塊状の氷塊を採用することができる。この場合には、前記連通管路の途中に登り勾配の部位を形成して、当該部位を、接触遮断体である氷塊を多数の群として一旦留める滞留部として機能させる構成とすることができる。
【００２０】
本発明に係るこれらの電解生成水貯留装置においては、接触遮断体である氷塊を供給する供給機構としてオーガ式製氷機を採用して、同オーガ式製氷機の氷塊の供給管を前記連通管路として採用して、同製氷機と前記貯留タンクを連結する構成とすることができる。
【００２１】
【発明の作用・効果】
本発明に係る電解生成水貯留装置においては、上記した構成により、電解生成水を収容する貯留タンク内への接触遮断体の供給を、貯留タンクと接触遮断体供給機構とを連結する連通管路を通して略密閉系で行うことができる。このため、貯留タンク内への接触遮断体の供給を、貯留タンク内ガスの外部への漏洩を極力抑制した状態で円滑に行うことができて、貯留タンク内からの経時的なガスの漏洩、および、貯留タンク内への接触遮断体の供給時におけるガスの漏洩を防止し、または、大きく抑制することができる。
【００２２】
本発明に係る電解生成水貯留装置において、前記連通管路を、接触遮断体供給機構から貯留タンクに向かって下降傾斜するように形成して、同連通管路の供給出口を貯留タンク内に収容されている電解生成水の液面の上方の部位に開口するように構成すれば、接触遮断体を貯留タンク内に収容されている電解生成水の液面上に円滑に供給して浮遊させて、液面とその上方の気体とを効率よく遮断することができる。
【００２３】
また、本発明に係る電解生成水貯留装置において、前記連通管路の途中の部位、上流側部位、または下流側部位に、接触遮断体の貯留タンク内への通過を許容するが接触遮断体の非通過時には連通管路を遮蔽すべく機能する管遮蔽部材を備える構成とすれば、貯留タンク内から接触遮断体供給機構側へのガスの漏洩を防止することができる。これにより、接触遮断体供給機構におけるガスとの接触に起因する錆の発生や、腐食の発生を防止することができる。
【００２４】
また、本発明に係る電解生成水貯留装置において、前記接触遮断体として小塊状の氷塊を採用すれば、氷塊それ自体の接触遮断効果以外に、氷塊が溶解して形成される水層による接触遮断効果を期待することができ、さらには、当該水層によるガスの吸収によるガスの漏洩効果をも期待することができる。この場合、前記連通管路の途中に、接触遮断体である氷塊を多数の群として一旦留める滞留部を備える構成とすれば、滞留部に滞留する多数の氷塊がガスの接触遮断体供給機構側への漏洩を遮断する機能を発揮させることができる。
【００２５】
また、本発明に係る電解生成水貯留装置において、前記接触遮断体として氷塊を採用する場合には、氷塊を供給する供給機構としてオーガ式製氷機を採用することができ、この場合には、同オーガ式製氷機における氷塊の供給管を前記連通管路に連結して同オーガ式製氷機と貯留タンクを連結することによって、電解生成水貯留装置を極めて合理的に構成することができる。
【００２６】
【発明の実施の形態】
本発明は、電解生成水貯留装置に関するもので、図１には、本発明の一実施形態に係る電解生成水貯留装置を概略的に示している。当該電解生成水貯留装置１０は、接触遮断体として小塊状の氷塊を採用しているもので、電解生成水を収容する貯留タンク１０ａと、接触遮断体である氷塊を生成するオーガ式の製氷機１０ｂと、貯留タンク１０ａと製氷機１０ｂを互いに連結する連通管路１０ｃにて構成されている。
【００２７】
貯留タンク１０ａは、電解水生成装置２０を構成する有隔膜電解槽２１の一方の電解室２１ａの下流側の流出管２２に連結されていて、有隔膜電解槽２１で生成される一方の電解生成水を収容するようになっている。なお、当該電解水生成装置２０は、水道水または食塩水の希薄水溶液を被電解水とするもので、有隔膜電解槽２１の各電解室では、電解生成酸性水と電解生成アルカリ性水が生成される。これらの電解生成水の一方は、流出管２２を通して流出して、電解生成水貯留装置１０を構成する貯留タンク１０ａ内に収容され、当該貯留タンク１０ａ内で貯留される。また、電解生成水の他方は、流出管２３を通して流出して、図示しない他方の電解生成水貯留装置の貯留タンク内に収容され、当該貯留タンク内で貯留される。
【００２８】
貯留タンク１０ａには、図２に示すように、接触遮断体である小塊状の氷塊１０ｄが、収容されている電解生成水の液面上に細密充填状態で均等に浮遊している。氷塊１０ｄは、異なる大きさの形状であることが好ましく、これらの氷塊１０ｄは、電解生成水の液面上に細密充填状態で浮遊して、同液面とその上方の空気等の気体との接触を遮断している。
【００２９】
なお、かかる接触遮断状態における電解生成水からのガス発生規制機能については、本発明者がすでに確認済みであり、当該ガス発生規制機能を利用した電解生成水の貯留方法および貯留装置に関する発明については、すでに出願済みである。
【００３０】
貯留タンク１０ａと製氷機１０ｂを連結している連通管路１０ｃは、製氷機１０ｂで生成される角状の氷塊１０ｄを貯留タンク１０ａ内に供給する管路であって、製氷機１０ｂにおける製氷機構部１１のヘッドに連結する供給管１２と連結管１３によって形成されている。
【００３１】
連通管路１０ｃにおいては、供給管１２の部位が登り勾配に形成されていて、その下降部先端に連結されている連結管１３が下降傾斜して貯留タンク１０ａの側壁まで延びて同側壁に連結している。連結管１３は、電解生成水が貯留タンク１０ａ内に設定された所定量収容された状態における、貯留タンク１０ａ内の電解生成水の液面より上方の部位に開口している。当該連通管路１０ｃにおいては、登り勾配の部位が、氷塊１０ｄを一旦留める滞留部として機能する。当該連結管路１０ｃを構成している連結管１３の基端側入口部にダンパ１４が設けられている。
【００３２】
ダンパ１４は、バネ部材を介して、連結管１３の周壁部内側に上下方向へ回動可能に組付けられている。ダンパ１４は、連結管１３の管路を開閉するもので、常態においては、バネ部材のバネ力によって連結管１３の上流側に回動していて、連結管１３の管路を閉鎖している。連結管１３の管路を閉鎖しているダンパ１４に、連結管１３の上流側から所定の荷重が作用した場合には、ダンパ１４はバネ部材のバネ力に抗して下流側へ回動して、連結管１３の管路を開放すべく機能する。
【００３３】
当該電解生成水貯留装置１０においては、電解水生成装置２０で生成される電解生成水（電解生成アルカリ性水や電解生成酸性水）を貯留タンク１０ａ内に収容して、電解生成水の使用を必要とするときまで貯留するものであり、電解生成水を貯留するに際しては、電解生成水を収容した状態の貯留タンク１０ａ内に、製氷機１０ｂで生成された多数の氷塊１０ｄの供給をうける。
【００３４】
製氷機１０ｂの製氷機構部１１で生成された氷は、製氷機構部１１のヘッドで角状の氷塊１０ｄとなり、氷塊１０ｄは、連通管路１０ｃを構成する供給管１２から連結管１３を通って、貯留タンク１０ａ内に収容されている電解生成水の液面上に供給される。電解生成水の液面上に供給された多数の氷塊１０ｄは、液面上で細密充填状態で浮遊して、液面と液面上の空気等気体との接触を遮断すべく機能する。従って、電解生成水をこのように貯留すれば、貯留タンク１０ａ内に収容されている電解生成水からの塩素ガスや水素ガス等の有害ガスの発生を防止し、または大きく抑制することができて、これらのガスの外部への放出が不要となる。
【００３５】
しかして、当該電解生成水貯留装置１０においては、氷塊１０ｄは製氷機１０ｂから供給されるように構成されていて、製氷機１０ｂにて生成された氷塊１０ｄは、滞留部およびダンパ１４を有して下降傾斜する連通管路１０ｃを通して供給される。
【００３６】
また、連通管路１０ｃを通して氷塊１０ｄを貯留タンク１０ａ内に供給する際には、氷塊１０ｄは滞留部で一旦滞留した状態で搬送され、その自重および供給圧力によってダンパ１４を押し開いて、連通管路１０ｃの管路を開放して流通する。このため、連通管路１０ｃの管路は、氷塊１０ｄの供給時には開放されて氷塊１０ｄの流通を許容するが、滞留部における氷塊１０ｄによって遮蔽された状態にあり、かつ、常時はダンパ１４によって閉鎖されている状態にある。
【００３７】
従って、当該電解生成水貯留装置１０においては、電解生成水を収容する貯留タンク１０ａ内への氷塊１０ｄの供給を、貯留タンク１０ａと製氷機１０ｂとを連結する連通管路１０ｃを通して略密閉系で行うことができる。このため、貯留タンク１０ａ内への氷塊１０ｄの供給を、貯留タンク１０ａ内のガスの外部への漏洩を極力抑制した状態で円滑に行うことができて、貯留タンク１０ａ内からの経時的なガスの外部への漏洩、および、貯留タンク１０ａ内への氷塊１０ｄの供給時におけるガスの外部への漏洩を防止し、または、大きく抑制することができるものである。
【００３８】
当該電解生成水貯留装置１０においては、特に、連通管路１０ｃを、製氷機１０ｂから貯留タンク１０ａに向かって下降傾斜するように形成して、連通管路１０ｃの供給出口を貯留タンク１０ａ内に収容されている状態の電解生成水の液面の上方の部位に開口するように構成している。このため、当該電解生成水貯留装置１０によれば、氷塊１０ｄを、貯留タンク１０ａ内に収容されている電解生成水の液面上に円滑に供給して浮遊させることができて、液面とその上方の空気等気体とを効率よく遮断することができる。
【００３９】
また、当該電解生成水貯留装置１０においては、連通管路１０ｃの管路を常態では閉鎖するダンパ１４を設けて、ダンパ１４を、氷塊１０ｄの供給時にのみ管路を開放するように構成している。このため、貯留タンク１０ａ内から製氷機１０ｂ側へのガスの漏洩をも大幅に抑制することができて、製氷機１０ｂにおけるガスとの接触に起因する錆の発生や、腐食の発生を防止することができる。
【００４０】
また、当該電解生成水貯留装置１０においては、接触遮断体として小塊状の氷塊１０ｄを採用しているため、氷塊１０ｄそれ自体の接触遮断効果以外に、氷塊１０ｄが溶解して形成される水層による接触遮断効果を期待することができ、さらには、当該水層によるガスの吸収によるガスの漏洩効果をも期待することができる。
【００４１】
また、当該電解生成水貯留装置１０において、接触遮断体として氷塊１０ｄを採用していて、氷塊１０ｄを供給する供給機構としてオーガ式の製氷機１０ｂを採用して、製氷機１０ｂにおける氷塊１０ｄの供給管１２を、連通管路１０ｃの一部に利用している。このため、電解生成水貯留装置１０を極めて合理的に構成することができる。
【００４２】
また、当該電解生成水貯留装置１０においては、連通管路１０ｃの途中に登り勾配の部位を形成して当該部位を滞留部として、氷塊１０ｄを多数の群として一旦留めるべく機能させている。当該滞留部に滞留した多数の氷塊１０ｄは、ダンパ１４による管路の開放時の一時期に、当該管路を閉鎖すべく機能することから、氷塊１０ｄの貯留タンク１０ａ内への供給時の貯留タンク１０ａ内から製氷機１０ｂ側へのガスの漏洩を、一層確実に防止することができる。
【図面の簡単な説明】
【図１】本発明の一実施形態に係る電解生成水貯留装置の概略的構成図である。
【図２】同電解生成水貯留装置を構成する貯留タンクおよびこれと一体の連通管路の一部の縦断側面図である。
【図３】同貯留タンクの上端側の横断平面図である。
【符号の説明】
１０…電解生成水貯留装置、１０ａ…貯留タンク、１０ｂ…オーガ式の製氷機、１０ｃ…連通管路、１０ｄ…氷塊、１１…製氷機構部、１２…供給管、１３…連結管、１４…ダンパ、２０…電解水生成装置、２１…有隔膜電解槽、２１ａ，２１ｂ…電解室、２２、２３…流出管。
【図１】
2004313963.tif 000003
【図２】
2004313963.tif 000004
【図３】
2004313963.tif 000005